(57)【要約】【課題】本発明は、清掃部材が回転しない場合と比べて、清掃部材の寿命を延ばすことができる帯電装置及び画像形成装置を提供することを目的とする。【解決手段】帯電用の線材に一側部側から接しながら移動して線材表面を清掃する第１清掃部材と、前記第１清掃部材と線材長さ方向の異なる位置で前記線材に他側部側から接しながら移動して線材表面を清掃する第２清掃部材と、各清掃部材が前記線材の端部側へ移動した際に前記各清掃部材を前記線材に接する接触面に交差する軸回りに回転させ各清掃部材における前記線材に接触する接触部分を変更する回転機構と、を備えた帯電装置。【選択図】図５
2018049057.tif 000002
【特許請求の範囲】
【請求項１】
帯電用の線材に一側部側から接しながら移動して線材表面を清掃する第１清掃部材と、
前記第１清掃部材と線材長さ方向の異なる位置で前記線材に他側部側から接しながら移動して線材表面を清掃する第２清掃部材と、
各清掃部材が前記線材の端部側へ移動した際に前記各清掃部材を前記線材に接する接触面に交差する軸回りに回転させ各清掃部材における前記線材に接触する接触部分を変更する回転機構と、
を備えた帯電装置。
【請求項２】
前記各清掃部材が前記端部側へ移動される際に前記回転機構による回転に先行して前記各清掃部材を前記線材から離す離間機構を有する請求項１に記載の帯電装置。
【請求項３】
前記回転機構は、
前記各清掃部材の周面に形成された複数の側面と、
前記各清掃部材に対応して前記線材の端部側に設けられ、前記線材から離された対応する清掃部材のいずれかの側面に突当面を当てて当該清掃部材を回転させる突き当て部材と、
を有する請求項２に記載の帯電装置。
【請求項４】
前記周面は、回転軸方向から見て前記側面が偶数の正多角形状であり、
前記突き当て部材は前記線材の一端側及び他端側に設けられ、
前記一端側に設けられた突き当て部材の突当面が前記線材に対して成す角度と前記他端側に設けられた突き当て部材の突当面が前記線材に対して成す角度とが異なるように一方の突当面を他方の突当面に対して傾斜した請求項３記載の帯電装置。
【請求項５】
前記周面は、回転軸方向から見て前記側面が奇数の正多角形状であり、
前記突き当て部材は前記線材の一端側及び他端側に設けられ、
前記一端側に設けられた突き当て部材の突当面が前記線材に対して成す角度と前記他端側に設けられた突き当て部材の突当面が前記線材に対して成す角度とが同等である請求項３記載の帯電装置。
【請求項６】
回転する像保持体と、
該像保持体の外周面を帯電させる請求項１から請求項５のいずれかに記載の帯電装置と、
を備えた画像形成装置。
【発明の詳細な説明】
【技術分野】
【０００１】
本発明は、帯電装置及び画像形成装置に関する。
【背景技術】
【０００２】
特許文献１に記載の画像形成装置の帯電装置は、線材に接触して線材を清掃する第１の清掃部材と、線材を挟んで第１の清掃部材に接触して当該線材を拭き取る第２の清掃部材とを有している。また、清掃装置は、第１の清掃部材及び第２の清掃部材を保持し線材の張り渡し方向に沿って往復移動させる保持移動体を有し、第２の清掃部材が、第１の清掃部材の少なくとも復路移動時の後端部からはみ出して線材と接触した状態で配置されている。
【０００３】
特許文献２に記載の画像形成装置の帯電装置は、線材を清掃するために線材の長さ方向に沿って離間配置される３以上の清掃部材と、清掃部材のいずれか一つを移動可能とし、線材に対し清掃部材の全てを接触、離間する線材接離機構とを有している。また、帯電装置は、線材接離機構により清掃部材の全てが線材に接触する状態で清掃部材の全てを線材の長さ方向に沿って移動させる清掃移動機構を備えている。３以上の清掃部材は、線材の長さ方向に対して所定の間隔をもって配置される一対の両側清掃部材と、線材を介して一対の両側清掃部材の反対側に位置し且つ線材の長さ方向に対して両側清掃部材の中間位置に配置される少なくとも一つの中間清掃部材とを含む。
【０００４】
特許文献３に記載の画像形成装置の帯電装置は、帯電ワイヤに沿って往復移動する支持台が方向転換する際に、支持台のグリップ板の姿勢が変わり、グリップ板上部の清掃パッドの帯電ワイヤへの接触面が変わる。
【先行技術文献】
【特許文献】
【０００５】
【特許文献１】特願２０１０−１０２２７３号公報
【特許文献２】特願２００８−２３３８９５号公報
【特許文献３】特願２００１−１４２２８４号公報
【発明の概要】
【発明が解決しようとする課題】
【０００６】
本発明は、清掃部材が回転しない場合と比べて、線材への接触位置が異なる清掃部材の寿命を延ばすことができる帯電装置及び画像形成装置を提供することを目的とする。
【課題を解決するための手段】
【０００７】
請求項１に係る帯電装置は、帯電用の線材に一側部側から接しながら移動して線材表面を清掃する第１清掃部材と、前記第１清掃部材と線材長さ方向の異なる位置で前記線材に他側部側から接しながら移動して線材表面を清掃する第２清掃部材と、各清掃部材が前記線材の端部側へ移動した際に前記各清掃部材を前記線材に接する接触面に交差する軸回りに回転させ各清掃部材における前記線材に接触する接触部分を変更する回転機構と、を備えている。
【０００８】
請求項２の帯電装置は、前記各清掃部材が前記端部側へ移動される際に前記回転機構による回転に先行して前記各清掃部材を前記線材から離す離間機構を有する。
【０００９】
請求項３の帯電装置は、前記回転機構は、前記各清掃部材の周面に形成された複数の側面と、前記各清掃部材に対応して前記線材の端部側に設けられ、前記線材から離された対応する清掃部材のいずれかの側面に突当面を当てて当該清掃部材を回転させる突き当て部材と、を有する。
【００１０】
請求項４の帯電装置は、前記周面は、回転軸方向から見て前記側面が偶数の正多角形状であり、前記突き当て部材は前記線材の一端側及び他端側に設けられ、前記一端側に設けられた突き当て部材の突当面が前記線材に対して成す角度と前記他端側に設けられた突き当て部材の突当面が前記線材に対して成す角度とが異なるように一方の突当面を他方の突当面に対して傾斜した。
【００１１】
請求項５の帯電装置は、前記周面は、回転軸方向から見て前記側面が奇数の正多角形状であり、前記突き当て部材は前記線材の一端側及び他端側に設けられ、前記一端側に設けられた突き当て部材の突当面が前記線材に対して成す角度と前記他端側に設けられた突き当て部材の突当面が前記線材に対して成す角度とが同等である。
【００１２】
請求項６の画像形成装置は、回転する像保持体と、該像保持体の外周面を帯電させる請求項１から請求項５のいずれかに記載の帯電装置と、を備えている。
【発明の効果】
【００１３】
請求項１の帯電装置によれば、清掃部材が回転しない場合と比べて、清掃部材の寿命を延ばすことができる。
【００１４】
請求項２の帯電装置によれば、線材に接したまま清掃部材を回転する場合と比べて、清掃部材の回転が容易となる。
【００１５】
請求項３の帯電装置によれば、ピンで押して回転する構造と比較して、清掃部材が破損し難い。
【００１６】
請求項４の帯電装置によれば、側面の数が偶数でも線材の両端部で清掃部材を回転できる。
【００１７】
請求項５の帯電装置によれば、側面の数が奇数でも線材の両端部で清掃部材を回転できる。
【００１８】
請求項６の画像形成装置によれば、像保持体を帯電させる帯電装置の清掃部材が回転しない場合と比べて、清掃部材の寿命を延ばすことができる。
【図面の簡単な説明】
【００１９】
【図１】第１実施形態に係る画像形成装置を示した概略構成図である。
【図２】第１実施形態に係る画像形成ユニットを示した概略構成図である。
【図３】第１実施形態に係る像保持体を示した概略正面図である。
【図４】図３のＡ−Ａ線断面に相当する概略図である。
【図５】第１実施形態の帯電装置の内部を説明する概略水平断面図である。
【図６】（Ａ）は清掃部材が線材の他方側へ移動する状態を示す概略平面図であり、（Ｂ）は清掃部材が線材の他端側へ移動した状態を示す概略平面図である。
【図７】周面が正五角形形状を成す清掃部材の回転動作を（Ａ）から（Ｅ）に示した概略平面図である。
【図８】（Ａ）は両清掃部材が線材を挟んだ状態を示す図４に相当する図であり、（Ｂ）は各清掃部材が線材から離れた状態を示す図４に相当する図である。
【図９】第２実施形態の清掃部材の回転動作を（Ａ）から（Ｄ）に示した概略平面図である。
【図１０】第２実施形態を示す図であり、（Ａ）は図８（Ａ）に相当する図で、（Ｂ）は図８（Ｂ）に相当する図である。
【発明を実施するための形態】
【００２０】
＜第１実施形態＞
本発明の第１実施形態に係る帯電装置を備えた画像形成装置の一例を図１〜図８に沿って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２１】
（全体構成）
本実施形態に係る画像形成装置１０は、負極性に帯電するトナーと磁性キャリアとを含む現像剤を用いる電子写真方式の画像形成装置である。画像形成装置１０は、図１に示すように、シート部材Ｐが収容される収容部１４と、収容部１４のシート部材Ｐを搬送する搬送部１６と、搬送されたシート部材Ｐに画像形成を行う画像形成部２０と、読取原稿Ｇを読み取る原稿読取部２２とを備えている。
【００２２】
〔搬送部〕
搬送部１６には、送出ロール３２で送り出されたシート部材Ｐを搬送経路２８に沿って搬送する複数の搬送ロール３４を備えている。
【００２３】
〔画像形成部〕
画像形成部２０は、図２に示すように、装置奥行方向に延びる円柱状で図中Ｒ１方向（時計方向）回転する像保持体５６と、像保持体５６の外周面５６Ａを負極性の電位に予備帯電させる帯電装置の一例としての予備帯電装置５８とを備えている。また、画像形成部２０は、予備帯電装置５８によって予備帯電した像保持体５６の外周面５６Ａの負極性の電位差を小さくし、電位をゼロ近傍に除電するための発光素子からなる除電装置６９を備えている。
【００２４】
画像形成部２０は、除電装置６９で除電された表面電位を予め決められた範囲内の負極性の電位に帯電させる帯電装置６０を備えている。また、画像形成部２０は、帯電装置６０によって帯電した像保持体５６の外周面５６Ａに露光光を照射して静電潜像を形成する露光装置６２（図１参照）と、外周面５６Ａに形成された静電潜像をトナー画像として現像する現像装置６４とを備えている。像保持体５６の回転方向において、予備帯電装置５８の下流側で、かつ、帯電装置６０の上流側には、像保持体５６の外周面５６Ａに残留した残留トナーを外周面５６Ａから除去する回転ブラシ６６及び除去ブレード６８が設けられている。
【００２５】
画像形成部２０は、搬送されるシート部材Ｐに像保持体５６の表面に形成されたトナー画像を、像保持体５６と転写ロール７０とが接触する転写位置Ｔで転写する。
【００２６】
また、画像形成部２０は、図１に示したように、シート部材Ｐ上のトナー画像を加熱・加圧してシート部材Ｐに定着させる定着装置７４を備えている。
【００２７】
（帯電装置）
帯電装置６０は、コロトロン式の帯電器であって、図３に示すように、筐体であるシールドケース１０２と、電圧が印加される帯電用の線材１０８と、線材１０８を清掃する清掃装置１１９とを備えている。
【００２８】
〔シールドケース〕
シールドケース１０２は、ステンレス製とされ、シールドケース１０２の像保持体５６側には、開口部１０２Ａが形成されている。シールドケース１０２は、像保持体５６の軸方向（装置奥行方向Ｄ）に沿って延びている。シールドケース１０２の上壁１０２Ｃには、装置奥行方向Ｄに延びる長孔１０４（図４参照）が形成されている。
【００２９】
〔線材〕
線材１０８は、タングステン等の金属線で構成され、シールドケース１０２内に配置され、装置奥行方向Ｄに延びている。ここで、線材１０８が延びる方向を線材長さ方向ＳＮＨとする。線材１０８は、絶縁物を介してシールドケース１０２において壁面が装置奥行方向Ｄを向く一端側壁１０２Ｆ及び他端側壁１０２Ｇ取り付けられている。そして、図示しない電源から電圧が線材１０８に印加されてコロナ放電が生じることで、帯電装置６０は、像保持体５６の外周面５６Ａを負極性に帯電する。
【００３０】
〔清掃装置〕
帯電装置６０の清掃装置１１９は、線材１０８を清掃する清掃具２００と、清掃具２００を線材１０８に沿って移動する移動機構１３０とを備えている。
【００３１】
（移動機構）
移動機構１３０は、図３に示したように、装置奥行方向Ｄに延びるリードシャフト１２２を備えており、リードシャフト１２２は、両端部が図示しないベアリングを介して装置本体１０Ａ（図１参照）のフレーム１３２、１３４に支持されている。リードシャフト１２２は、ギア１２２Ｄ、１２６Ｂを介してモータ１２６に接続されており、モータ１２６は、制御部１５０からの駆動信号に応じて稼働する。
【００３２】
リードシャフト１２２は、円柱状の本体部１２２Ａと、本体部１２２Ａの外周面に形成された螺旋状のネジ山１２２Ｂを有している。
【００３３】
リードシャフト１２２の外周部には、図４に示したように、円筒部１１０が嵌合しており、円筒部１１０の内周面には、リードシャフト１２２のネジ山１２２Ｂと噛合する図示しない雌ネジ部が形成されている。
【００３４】
円筒部１１０からは、シールドケース１０２の上壁１０２Ｃに沿って配置される支持板２０２が装置幅方向Ｗへ延びており、支持板２０２の先端部には、上壁１０２Ｃに接して滑る突起２０２Ａが設けられている。この支持板２０２によって清掃具２００が支持されており、図３に示したように、モータ１２６によりリードシャフト１２２が正方向又は逆方向に回転することで、清掃具２００は、シールドケース１０２の端部に位置したホームポジション（図６（Ｂ）の状態）から線材長さ方向ＳＮＨへ移動される。
【００３５】
（清掃具）
清掃具２００のフレーム２００Ａは、弾性変形可能な部材で形成されている。フレーム２００Ａは、図４に示したように、シールドケース１０２の長孔１０４を貫通して支持板２０２に支持された支持部２０４と、支持部２０４より二股に分かれた第１アーム部２０６及び第２アーム部２０８とを有している。第１アーム部２０６と第２アーム部２０８とは、支持部２０４と線材１０８を結ぶ線に対して線対象とされている。
【００３６】
第１アーム部２０６は、支持部２０４より斜めに延びた第１傾斜部２０６Ａと、第１傾斜部２０６Ａの先端より横方向へ延び出た第１延出部２０６Ｂと、第１延出部２０６Ｂより支持部２０４と逆側に延びた第１取付部２０６Ｃとを有する。第２アーム部２０８は、支持部２０４より斜めに延びた第２傾斜部２０８Ａと、第２傾斜部２０８Ａの先端より横方向へ延び出た第２延出部２０８Ｂと、第２延出部２０８Ｂより支持部２０４と逆側に延びた第２取付部２０８Ｃとを有する。
【００３７】
第１傾斜部２０６Ａと第２傾斜部２０８Ａとの間には、三角形状の挿入空間２１０が形成され、第１取付部２０６Ｃと第２取付部２０８Ｃとは対向する。
【００３８】
第１取付部２０６Ｃには、第１清掃部材２１２が線材１０８に向けて延びる第１回転軸２１４を介して回転自在に支持されており、第１清掃部材２１２は、樹脂製の第１基部２１２Ａと、第１基部２１２Ａの端面に設けられた第１パッド２１２Ｂとを有する。第１清掃部材２１２は、線材１０８に接する第１パッド２１２Ｂの接触面に対して交差方向に延在する第１回転軸２１４の軸回りに回転する。
第２取付部２０８Ｃには、第２清掃部材２１６が線材１０８に向けて延びる第２回転軸２１８を介して回転自在に支持されており、第２清掃部材２１６は、樹脂製の第２基部２１６Ａと、第２基部２１６Ａの端面に設けられた第２パッド２１６Ｂとを有する。第２清掃部材２１６は、線材１０８に接する第２パッド２１６Ｂの接触面に対して交差方向に延在する第２回転軸２１８の軸回りに回転する。
各パッド２１２Ｂ、２１６Ｂは、発泡体もしくは不織布などで形成されている。
【００３９】
第１清掃部材２１２は、図４及び図５に示すように、線材１０８を境とした一側部側に配置されており、第２清掃部材２１６は、他側部側に配置されている。第１清掃部材２１２と第２清掃部材２１６とは、図５に示すように、線材長さ方向ＳＮＨで異なる（ずれた）位置に配置されており、第１清掃部材２１２と第２清掃部材２１６との間には、線材１０８が斜め方向に撓む線材撓み領域ＳＴＲが清掃時に形成されている。
【００４０】
これにより、第１清掃部材２１２は、線材１０８に一側部側から接しながら移動して線材表面を清掃する。また、第２清掃部材２１６は、第１清掃部材２１２と線材長さ方向ＳＮＨの異なる位置で線材１０８に他側部側から接しながら移動して線材表面を清掃する。
【００４１】
この帯電装置６０の清掃装置１１９は、図６に示すように、清掃具２００の各清掃部材２１２、２１６が線材１０８の端部側へ移動した際に各清掃部材２１２、２１６を回転させる回転機構２２０を備えている。回転機構２２０は、線材１０８に接触する各パッド２１２Ｂ、２１６Ｂの接触部分を変更する。
【００４２】
回転機構２２０は、図５に示したように、シールドケース１０２の一端側壁１０２Ｆ及び他端側壁１０２Ｇに設けられた突き当て部材２２６、２３２、２３４、２３６と、各清掃部材２１２、２１６の各基部２１２Ａ、２１６Ａの周面を構成する側面２２２、２２８とによって構成され、以下で詳細に説明する。
【００４３】
詳細については、第１清掃部材２１２を示す図７を用いて説明するが、第２清掃部材２１６も線材長さ方向ＳＮＨでの位置が異なる以外は同様に構成されているものとする。図７に示すように、第１清掃部材２１２の第１基部２１２Ａの周面形状は、第１回転軸２１４が延びる回転軸方向ＫＪＨ（図４参照）から見て辺（頂点）の数が奇数の正多角形状に形成されており、本実施形態では、一例として正五角形を成す。
【００４４】
図５に示したように、シールドケース１０２の一端側ＩＴＧの一端側壁１０２Ｆには、第１清掃部材２１２の第１基部２１２Ａの側面２２２に突当面２２６Ａを当てて第１清掃部材２１２を回転させる第１Ａ突き当て部材２２６が設けられている。また、一端側壁１０２Ｆには、第２清掃部材２１６の第２基部２１６Ａの側面２２８に突当面２３２Ａを当てて第２清掃部材２１６を回転させる第２Ａ突き当て部材２３２が設けられている。
【００４５】
また、シールドケース１０２の他端側ＴＴＧの他端側壁１０２Ｇには、第１清掃部材２１２の第１基部２１２Ａの側面２２２に突当面２３４Ａを当てて第１清掃部材２１２を回転させる第１Ｂ突き当て部材２３４が設けられている。また、他端側壁１０２Ｇには、第２清掃部材２１６の第２基部２１６Ａの側面２２８に突当面２３６Ａを当てて第２清掃部材２１６を回転させる第２Ｂ突き当て部材２３６が設けられている。
【００４６】
第１Ａ突き当て部材２２６の突当面２２６Ａが線材１０８に対して成す角度と第１Ｂ突き当て部材２３４の突当面２３４Ａが線材１０８に対して成す角度とは同等である。言い換えると、第１Ａ突き当て部材２２６の突当面２２６Ａと第１Ｂ突き当て部材２３４の突当面２３４Ａとは互いに平行となるように設定されており（図７参照）、第２Ａ突き当て部材２３２の突当面２３２Ａと第２Ｂ突き当て部材２３６の突当面２３６Ａも平行となるように設定されている。
なお、各突当面２２６Ａ、２３６Ａが線材１０８に直交する直線に対して成す角度は、各清掃部材２１２、２１６が成す正五角形の外角の１／２に設定されている。
【００４７】
これにより、清掃具２００が線材１０８の端部側へ移動すると、各清掃部材２１２、２１６の側面２２２、２２８が対応する突き当て部材２２６、２３４、２３２、２３６の突当面２２６Ａ、２３４Ａ、２３２Ａ、２３６Ａに当たる。すると、その度に各清掃部材２１２、２１６が回転軸中心に回転し、線材１０８に接触する各パッド２１２Ｂ、２１６Ｂの接触部分を変更する。
【００４８】
具体的に説明すると、図７（Ａ）では、他端側ＴＴＧにおいて第１清掃部材２１２の側面２２２Ａが第１Ｂ突き当て部材２３４の突当面２３４Ａに面接触しており、第１Ａ突き当て部材２２６の突当面２２６Ａに対向する側面２２２Ｄは、第１Ａ突き当て部材２２６の突当面２２６Ａに対して傾斜している。
【００４９】
この状態で清掃具２００を一端側ＩＴＧへ移動すると、第１清掃部材２１２の側面２２２Ｃと側面２２２Ｄとの角部が第１Ａ突き当て部材２２６の突当面２２６Ａに当たる。これにより、第１清掃部材２１２が回転し、第１清掃部材２１２の側面２２２Ｄが第１Ａ突き当て部材２２６の突当面２２６Ａに面接触する。
【００５０】
このとき、第１Ｂ突き当て部材２３４の突当面２３４Ａに対向する側面２２２Ｂは、第１Ｂ突き当て部材２３４の突当面２３４Ａに対して傾斜しており、図７（Ｂ）に示すように、他端側ＴＴＧへの移動した際に第１清掃部材２１２の側面２２２Ｂが第１Ｂ突き当て部材２３４の突当面２３４Ａに面接触することで、第１清掃部材２１２が回転する。
【００５１】
このように、図７（Ａ）から図７（Ｅ）に示すように、前述した動作を繰り返すことで、清掃具２００が線材１０８の一端側ＩＴＧ及び他端側ＴＴＧへ移動する度に第１清掃部材２１２が段階的に回転する。これにより、線材１０８の接触部分１０８Ａが段階的に変更される。
なお、この図７には、第１清掃部材２１２が一回転するまでの動作のうち、第１清掃部材２１２の動作を示すために必要な代表的な図を選択的に（Ａ）から（Ｅ）に示している。
【００５２】
また、清掃装置１１９は、図４及び図５に示したように、各清掃部材２１２、２１６が線材１０８の端部側へ移動する際に、回転機構２２０による回転に先行して各清掃部材２１２、２１６を線材１０８から離す離間機構２４０を有する。
【００５３】
この離間機構２４０は、図５に示したように、シールドケース１０２の一端側壁１０２Ｆに設けられた一端側離間ロッド２４２と、他端側壁１０２Ｇに設けられた他端側離間ロッド２４４とを有する。各離間ロッド２４２、２４４は、線材１０８に沿って延びており、先端には円形部２４２Ａ，２４４Ａが形成されている。
【００５４】
これにより、図８（Ａ）から図８（Ｂ）に示すように、清掃具２００が他端側ＴＴＧへ近づいた際に他端側離間ロッド２４４が第１アーム部２０６の第１傾斜部２０６Ａと第２アーム部２０８の第２傾斜部２０８Ａとの間の挿入空間２１０に挿入され、第１アーム部２０６と第２アーム部２０８とを互いに離間させる。これにより、各アーム部２０６、２０８に設けられた各清掃部材２１２、２１６を互いに離れる方向へ移動して各パッド２１２Ｂ、２１６Ｂを線材１０８から離す。
【００５５】
このとき、各アーム部２０６、２０８には、各離間ロッド２４２、２４４の円形部２４２Ａ、２４４Ａが当たるので、角部が各アーム部２０６、２０８の当たる場合と比較して、両アーム部２０６、２０８の離間をスムーズに行える。
そして、清掃具２００は、シールドケース１０２の端部に到達したホームポジションで停止し（図６（Ｂ）参照）、次回の清掃指示までホームポジションで待機する。
【００５６】
以上の構成に係る本実施形態の作用について説明する。
線材１０８を清掃する際には、リードシャフト１２２を回転して円筒部１１０に繋がれた清掃具２００を例えば線材長さ方向ＳＮＨの他端側ＴＴＧへ移動し、図５及び図８（Ａ）に示したように、線材表面を各清掃部材２１２、２１６の各パッド２１２Ｂ、２１６Ｂで擦って清掃する。
【００５７】
清掃具２００が線材１０８の他端側ＴＴＧへ近づくと、図６（Ａ）及び図８（Ｂ）に示したように、離間機構２４０の他端側離間ロッド２４４が清掃具２００の第１アーム部１０６の第１傾斜部２０６Ａと第２アーム部２０８の第２傾斜部２０８Ａとの間の挿入空間２１０に挿入され、両アーム部２０６、２０８が互いに離反することで、各アーム部２０６、２０８に設けられた各清掃部材２１２、２１６の各パッド２１２Ｂ、２１６Ｂが線材１０８から離れる。
【００５８】
この状態で、清掃具２００がさらに他端側ＴＴＧへ移動すると、図６（Ｂ）に示したように、第１清掃部材２１２の第１基部２１２Ａの側面２２２に第１Ｂ突き当て部材２３４の突当面２３４Ａが当たることで、図７に示したように、第１清掃部材２１２が軸中心に回転し、その回転角に応じて線材１０８に接触する第１パッド２１２Ｂの接触部分１０８Ａが変更される。
【００５９】
同様に、図６（Ｂ）に示したように、第２清掃部材２１６の第２基部２１６Ａの側面２２８に第２Ｂ突き当て部材２３６の突当面２３６Ａが当たることで、図７と同様に、第２清掃部材２１６が軸中心に回転し、その回転角に応じて線材１０８に接触する第２パッド２１６Ｂの接触部分１０８Ａが変更される。
【００６０】
なお、清掃具２００が線材１０８の一端側ＩＴＧへ移動する際も前述と同様に、各パッド２１２Ｂ、２１６Ｂが線材１０８から離された後、各清掃部材２１２、２１６が回転される。その際の回転角に応じて線材１０８に接触する各パッド２１２Ｂ、２１６Ｂの接触部分１０８Ａが変更される。
【００６１】
このように、清掃具２００が線材１０８の端部へ移動する毎に各パッド２１２Ｂ、２１６Ｂと線材１０８との接触部分１０８Ａが変わる。このため、線材１０８への接触部分１０８Ａが変わらない場合と比較して、各清掃部材２１２、２１６の一部の擦り減りを抑制し、寿命が延びる。その結果、耐久性が向上する。これにより、各清掃部材２１２、２１６の耐久性が高い画像形成装置１０を提供できる。
【００６２】
このとき、図５に示したように、第１清掃部材２１２の第１パッド２１２Ｂと第２清掃部材２１６の第２パッド２１６Ｂとは、線材長さ方向ＳＮＨにおいて異なる位置で接する。このため、第１パッド２１２Ｂの第２パッド２１２Ｂ側の角部及び第２パッド２１６Ｂの第１パッド２１２Ｂ側の角部には、線材１０８が強く当たるので、線材１０８との摩擦力が集中し損傷しやすい。このような場合であっても、各パッド２１２Ｂ、２１６Ｂを回転して線材１０８との接触部分１０８Ａを変えることで、各清掃部材２１２、２１６の耐久性を高めることができる。
【００６３】
また、線材１０８への接触部分１０８Ａを汚れの少ない面に変えることで、線材１０８への接触部分１０８Ａが変わらない場合と比較して、線材１０８を綺麗に清掃することができる。
【００６４】
そして、線材１０８から各パッド２１２Ｂ、２１６Ｂを離した状態で各清掃部材２１２、２１６を回転することができる。このため、線材１０８に接したまま各清掃部材２１２、２１６を回転する場合と比較して、回転負荷が少なくなり、回転が容易となる。
【００６５】
特に、線材長さ方向ＳＮＨの異なる位置で各パッド２１２Ｂ、２１６Ｂが線材１０８に接する本構成では、図５に示したように、線材１０８が各パッド２１２Ｂ、２１６Ｂの角部に食い込み、回転し難い。このような構成であっても、各パッド２１２Ｂ、２１６Ｂを線材１０８から離して回転することで、回転動作が容易となる。
【００６６】
また、回転機構２２０では、各清掃部材２１２、２１６の側面２２２、２２８と各突き当て部材２２６、２３２、２３４、２３６の突当面２２６Ａ、２３２Ａ、２３４Ａ、２３６Ａとの面接触により、各清掃部材２１２、２１６を回転させる。このため、各清掃部材２１２、２１６にピンを押し当てて回転する構造と比較して、回転機構２２０の破損を抑制することができる。
【００６７】
なお、本実施形態では、各パッド２１２Ｂ、２１６Ｂを線材１０８から離して回転させたが、これに限定されるものではなく、各パッド２１２Ｂ、２１６Ｂを線材１０８から離間せずに回転してもよい。
【００６８】
そして、各清掃部材２１２、２１６の側面２２２、２２８の数が奇数の本構造では、図７に示したように、対向した各突き当て部材２２６、２３２、２３４、２３６の突当面２２６Ａ、２３２Ａ、２３４Ａ、２３６Ａを平行とした。これにより、線材１０８の両端側へ移動する度に各清掃部材２１２、２１６を回転することができる。
【００６９】
なお、本実施形態では、各清掃部材２１２、２１６の側面２２２、２２８が回転軸方向ＫＪＨから見て五角形の場合を例に挙げて説明したが、これに限定されるものではなく、三角形や七角形など他の形状であってもよい。
【００７０】
＜第２実施形態＞
図９は、第２実施形態を示す図であり、第１実施形態と同一または同等部分に付いては、同符号を付して説明を割愛し、異なる部分についてのみ説明する。
【００７１】
すなわち、各清掃部材２１２、２１６の周面形状は、回転軸方向ＫＪＨから見て辺（頂点）の数が偶数の正多角形状に形成されており、本実施形態では、一例として正方形を成している。
【００７２】
また、シールドケース１０２の一端側壁１０２Ｆに設けられた突き当て部材２２６、２３２の突当面２２６Ａ、２３２Ａが線材１０８に対して成す角度と、他端側壁１０２Ｇに設けられた突き当て部材２３４、２３６の突当面２３４Ａ、２３６Ａが線材１０８に対して成す角度とが異なるように一方の突当面２２６Ａ、２３２Ａが他方の突当面２３４Ａ、２３６Ａに対して傾斜している。言い換えると、シールドケース１０２の一端側壁１０２Ｆの各突き当て部材２２６、２３２の突当面２２６Ａ、２３２Ａと他端側壁１０２Ｇの各突き当て部材２３４、２３６の突当面２３４Ａ、２３６Ａとは、平行しないようになっている（他端側ＴＴＧのみ図９に図示）。
なお、一方の突当面２２６Ａ、２３２Ａと他方の突当面２３４Ａ、２３６Ａがとの角度差は、各清掃部材２１２、２１６が成す正方形の外角の１／２に設定されている。
【００７３】
このように、各清掃部材２１２、２１６の側面２２２、２２８の数が偶数の本構造では、対向した突き当て部材２２６、２３２、２３４、２３６の突当面２２６Ａ、２３２Ａ、２３４Ａ、２３６Ａを非平行とした。これにより、清掃具２００を、線材１０８の両端部側へ移動する度に各清掃部材２１２、２１６を回転することができる。
【００７４】
＜第３実施形態＞
図１０は、第３実施形態を示す図であり、第１実施形態と同一または同等部分に付いては、同符号を付して説明を割愛し、異なる部分についてのみ説明する。
【００７５】
すなわち、第１実施形態では、画像形成装置１０を設置した状態において、各清掃部材２１２、２１６が横方向に並ぶように配置したが、図１０に示すように、各清掃部材２１２、２１６を上下方向に配置してもよい。
【００７６】
なお、各実施形態では、帯電装置６０としてコロトロン式の帯電器を示したが、これに限定されるものではなく、スコトロン式の帯電器であってもよい。
【符号の説明】
【００７７】
１０    画像形成装置
６０    帯電装置
５６    像保持体
５６Ａ  外周面
１０８  線材
１１９  清掃装置
１３０  移動機構
２００  清掃具
２１２  第１清掃部材
２１６  第２清掃部材
２２０  回転機構
２２２  側面
２２６  第１Ａ突き当て部材
２２６Ａ  突当面
２３２  第２Ａ突き当て部材２３２
２３２Ａ  突当面
２３４  第１Ｂ突き当て部材２３４
２３４Ａ  突当面
２３６  第２Ｂ突き当て部材２３６
２３６Ａ  突当面
２４０  離間機構
ＩＴＧ  一端側
ＫＪＨ  回転軸方向
ＳＮＨ  線材長さ方向
ＴＴＧ  他端側
【図１】
2018049057.tif 000003
【図２】
2018049057.tif 000004
【図３】
2018049057.tif 000005
【図４】
2018049057.tif 000006
【図５】
2018049057.tif 000007
【図６】
2018049057.tif 000008
【図７】
2018049057.tif 000009
【図８】
2018049057.tif 000010
【図９】
2018049057.tif 000011
【図１０】
2018049057.tif 000012